【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
遊技客により獲得された獲得遊技媒体数が関連付けられた記録媒体を受け付け、受け付けた記録媒体に関連付けられた獲得遊技媒体数を一般景品及び特殊景品に景品交換処理する景品管理装置であって、
前記一般景品及び前記特殊景品の景品識別情報ごとに景品交換に要する交換遊技媒体数を対応付けた景品交換データを記憶する記憶手段と、
景品交換対象となる一般景品を選択する一般景品選択手段と、
前記獲得遊技媒体数の範囲内で景品交換対象となる特殊景品を選択する特殊景品選択手段と、
前記一般景品選択手段により選択された一般景品の景品交換に要する交換遊技媒体数並びに前記特殊景品選択手段により選択された特殊景品の景品交換に要する交換遊技媒体数を前記記憶手段に記憶した景品交換データに基づいて特定し、特定した交換遊技媒体数をそれぞれ前記獲得遊技媒体数から減算処理して前記獲得遊技媒体数を更新する遊技媒体数更新手段と、
前記遊技媒体数更新手段により前記交換遊技媒体数が減算処理された後に、所定の操作がなされた場合に、前記特殊景品選択手段により選択された特殊景品の一部或いは全部の選択を取り消す選択取消手段と
を備え、
前記遊技媒体数更新手段は、前記選択取消手段により選択が取り消された特殊景品の景品交換に要する交換遊技媒体数を前記獲得遊技媒体数に加算処理して前記獲得遊技媒体数を更新する
ことを特徴とする景品管理装置。
【請求項２】
前記選択取消手段は、前記遊技媒体数更新手段により前記交換遊技媒体数が減算処理された後に、獲得遊技媒体数の追加又は一般景品の選択がなされた場合に、前記特殊景品選択手段により選択された特殊景品の一部或いは全部の選択を取り消すことを特徴とする請求項１に記載の景品管理装置。
【請求項３】
前記選択取消手段は、前記遊技媒体数更新手段により前記交換遊技媒体数が減算処理された後に、獲得遊技媒体数の追加又は一般景品の選択がなされた場合に、前記特殊景品選択手段により選択された特殊景品の選択並びに前記特殊景品選択手段により選択された特殊景品の景品交換に要する交換遊技媒体数を前記獲得遊技媒体数から減算処理した端数遊技媒体数を景品交換した一般景品の選択を取り消し、
前記遊技媒体数更新手段は、前記選択取消手段により選択が取り消された特殊景品の景品交換に要する交換遊技媒体数並びに前記端数遊技媒体数を景品交換した一般景品の景品交換に要する交換遊技媒体数を前記獲得遊技媒体数に加算処理する
ことを特徴とする請求項１又は２に記載の景品管理装置。
【請求項４】
前記特殊景品選択手段は、前記遊技媒体数更新手段が前記選択取消手段により選択が取り消された特殊景品の景品交換に要する交換遊技媒体数を前記獲得遊技媒体数に加算処理して前記獲得遊技媒体数を更新した場合に、該更新された前記獲得遊技媒体数の範囲内で景品交換対象となる特殊景品を選択することを特徴とする請求項１、２又は３に記載の景品管理装置。
【請求項５】
前記特殊景品選択手段は、対応する価値の異なる複数種類の特殊景品について、前記価値の合計が最大となる特殊景品の組み合わせを選択することを特徴とする請求項１〜４のいずれか一つに記載の景品管理装置。
【請求項６】
遊技客により獲得された獲得遊技媒体数が関連付けられた記録媒体を受け付け、受け付けた記録媒体に関連付けられた獲得遊技媒体数を一般景品及び特殊景品に景品交換処理する景品管理方法であって、
景品交換対象となる一般景品を選択する一般景品選択工程と、
前記一般景品選択工程により選択された一般景品の景品交換に要する交換遊技媒体数を前記獲得遊技媒体数から減算処理する第１の減算処理工程と、
前記獲得遊技媒体数の範囲内で景品交換対象となる特殊景品を選択する特殊景品選択工程と、
前記特殊景品選択工程により選択された特殊景品の景品交換に要する交換遊技媒体数を前記獲得遊技媒体数から減算処理する第２の減算処理工程と、
前記第２の減算処理工程により前記交換遊技媒体数が減算処理された後に、所定の操作がなされた場合に、前記特殊景品選択工程により選択された特殊景品の一部或いは全部の選択を取り消す選択取消工程と、
前記選択取消工程により選択が取り消された特殊景品の景品交換に要する交換遊技媒体数を前記獲得遊技媒体数に加算処理する加算処理工程と
を含んだことを特徴とする景品管理方法。
【手続補正２】
【補正対象書類名】明細書
【補正対象項目名】００１２
【補正方法】変更
【補正の内容】
【００１２】
上述した課題を解決し、目的を達成するため、本発明は、遊技客により獲得された獲得遊技媒体数が関連付けられた記録媒体を受け付け、受け付けた記録媒体に関連付けられた獲得遊技媒体数を一般景品及び特殊景品に景品交換処理する景品管理装置であって、前記一般景品及び前記特殊景品の景品識別情報ごとに景品交換に要する交換遊技媒体数を対応付けた景品交換データを記憶する記憶手段と、景品交換対象となる一般景品を選択する一般景品選択手段と、前記獲得遊技媒体数の範囲内で景品交換対象となる特殊景品を選択する特殊景品選択手段と、前記一般景品選択手段により選択された一般景品の景品交換に要する交換遊技媒体数並びに前記特殊景品選択手段により選択された特殊景品の景品交換に要する交換遊技媒体数を前記記憶手段に記憶した景品交換データに基づいて特定し、特定した交換遊技媒体数をそれぞれ前記獲得遊技媒体数から減算処理して前記獲得遊技媒体数を更新する遊技媒体数更新手段と、前記遊技媒体数更新手段により前記交換遊技媒体数が減算処理された後に、所定の操作がなされた場合に、前記特殊景品選択手段により選択された特殊景品の一部或いは全部の選択を取り消す選択取消手段とを備え、前記遊技媒体数更新手段は、前記選択取消手段により選択が取り消された特殊景品の景品交換に要する交換遊技媒体数を前記獲得遊技媒体数に加算処理して前記獲得遊技媒体数を更新することを特徴とする。
【手続補正３】
【補正対象書類名】明細書
【補正対象項目名】００１３
【補正方法】変更
【補正の内容】
【００１３】
また、本発明は、上記発明において、前記選択取消手段は、前記遊技媒体数更新手段により前記交換遊技媒体数が減算処理された後に、獲得遊技媒体数の追加又は一般景品の選択がなされた場合に、前記特殊景品選択手段により選択された特殊景品の一部或いは全部の選択を取り消すことを特徴とする。
【手続補正４】
【補正対象書類名】明細書
【補正対象項目名】００１４
【補正方法】変更
【補正の内容】
【００１４】
また、本発明は、上記発明において、前記選択取消手段は、前記遊技媒体数更新手段により前記交換遊技媒体数が減算処理された後に、獲得遊技媒体数の追加又は一般景品の選択がなされた場合に、前記特殊景品選択手段により選択された特殊景品の選択並びに前記特殊景品選択手段により選択された特殊景品の景品交換に要する交換遊技媒体数を前記獲得遊技媒体数から減算処理した端数遊技媒体数を景品交換した一般景品の選択を取り消し、前記遊技媒体数更新手段は、前記選択取消手段により選択が取り消された特殊景品の景品交換に要する交換遊技媒体数並びに前記端数遊技媒体数を景品交換した一般景品の景品交換に要する交換遊技媒体数を前記獲得遊技媒体数に加算処理することを特徴とする。
【手続補正５】
【補正対象書類名】明細書
【補正対象項目名】００１５
【補正方法】変更
【補正の内容】
【００１５】
また、本発明は、上記発明において、前記特殊景品選択手段は、前記遊技媒体数更新手段が前記選択取消手段により選択が取り消された特殊景品の景品交換に要する交換遊技媒体数を前記獲得遊技媒体数に加算処理して前記獲得遊技媒体数を更新した場合に、該更新された前記獲得遊技媒体数の範囲内で景品交換対象となる特殊景品を選択することを特徴とする。
【手続補正６】
【補正対象書類名】明細書
【補正対象項目名】００１６
【補正方法】変更
【補正の内容】
【００１６】
また、本発明は、上記発明において、前記特殊景品選択手段は、対応する価値の異なる複数種類の特殊景品について、前記価値の合計が最大となる特殊景品の組み合わせを選択することを特徴とする。
【手続補正７】
【補正対象書類名】明細書
【補正対象項目名】００１７
【補正方法】変更
【補正の内容】
【００１７】
また、本発明は、遊技客により獲得された獲得遊技媒体数が関連付けられた記録媒体を受け付け、受け付けた記録媒体に関連付けられた獲得遊技媒体数を一般景品及び特殊景品に景品交換処理する景品管理方法であって、景品交換対象となる一般景品を選択する一般景品選択工程と、前記一般景品選択工程により選択された一般景品の景品交換に要する交換遊技媒体数を前記獲得遊技媒体数から減算処理する第１の減算処理工程と、前記獲得遊技媒体数の範囲内で景品交換対象となる特殊景品を選択する特殊景品選択工程と、前記特殊景品選択工程により選択された特殊景品の景品交換に要する交換遊技媒体数を前記獲得遊技媒体数から減算処理する第２の減算処理工程と、前記第２の減算処理工程により前記交換遊技媒体数が減算処理された後に、所定の操作がなされた場合に、前記特殊景品選択工程により選択された特殊景品の一部或いは全部の選択を取り消す選択取消工程と、前記選択取消工程により選択が取り消された特殊景品の景品交換に要する交換遊技媒体数を前記獲得遊技媒体数に加算処理する加算処理工程とを含んだことを特徴とする。
【手続補正８】
【補正対象書類名】明細書
【補正対象項目名】００１８
【補正方法】変更
【補正の内容】
【００１８】
本発明によれば、景品交換対象となる一般景品を選択し、選択された一般景品の景品交換に要する交換遊技媒体数を獲得遊技媒体数から減算処理し、獲得遊技媒体数の範囲内で景品交換対象となる特殊景品を選択し、選択された特殊景品の景品交換に要する交換遊技媒体数を獲得遊技媒体数から減算処理した後に、所定の操作がなされた場合に、特殊景品の一部或いは全部の選択を取り消し、取り消された特殊景品の景品交換に要する交換遊技媒体数を獲得遊技媒体数に加算処理するよう構成したので、遊技客により獲得された獲得遊技媒体数の景品交換対象となる一般景品及び特殊景品が選択された後に、獲得遊技媒体数の追加若しくは新たな一般景品の選択を行う場合に、店員による景品交換効率の低下並びに店員の人的労力を効率良く低減することができる。また、遊技客に余計な手間を掛けることもない。